(57)【特許請求の範囲】
【請求項１】
断熱筐体として形成されるとともに前面が開口した直方体状の本体キャビネットと、本体キャビネットの内部に画成された商品収容庫内を左右方向に複数の商品収納室に区画するとともに前面に内扉と当接するパッキンが取付けられた断熱仕切板と、商品収容庫の底壁前面に左右方向に延在して配設される硬質の合成樹脂からなる化粧枠の前面に内扉と当接して弾性変形する弾性部を有するガスケット部材と、前記断熱仕切板の前面下部であって、前記ガスケット部材の化粧枠を跨ぐように形成された切欠を閉塞するクッションとを備えた自動販売機において、前記クッションはガスケット部材の化粧枠の上端からその前面および背面に延在して当該化粧枠の上部を被覆するように配設してなることを特徴とする自動販売機。
【発明の詳細な説明】
【技術分野】
【０００１】
本発明は、断熱筐体として形成されるとともに前面が開口した直方体状の本体キャビネットと、本体キャビネットの内部に画成された商品収容庫内を左右方向に複数の商品収納室に区画する断熱仕切板とを備えた自動販売機に係り、詳しくは断熱仕切板により区画形成された商品収納室間の気密保持構造に関する。
【背景技術】
【０００２】
例えば、缶入り飲料，ペットボトル入り飲料等の商品を販売する自動販売機としては、前面が開口した直方体状の本体キャビネットの内部に断熱構造の商品収容庫が画成され、かかる商品収容庫内を断熱仕切板により区画して左右方向に複数の商品収納室が形成され、前記商品収容庫の前面開口を閉塞する断熱構造の内扉に前記断熱仕切板の前縁に設けられたパッキン、および商品収容庫の底壁の前面に設けたガスケット部材の弾性部を当接させて気密状態の商品収納室が形成されるように構成されている。この種の缶入り飲料，ペットボトル入り飲料等の商品を販売する自動販売機を図３に示し、図３は一般的に缶自動販売機と称される自動販売機の概略構成を示す外扉開放状態の斜視図である。
【０００３】
図において、１は断熱筐体として形成されるとともに前面が開口した直方体状の本体キャビネットであり、底壁１ａの上方領域が断熱構造の商品収容庫として画成され、底壁１ａの下部領域が機械室として画成されている。前記商品収容庫内は断熱仕切板２により左右方向に複数の商品収納室３，４，５に区画され、当該商品収納室３，４，５には商品収納ラック６（この例ではサーペンタイン式商品収納ラック）がそれぞれ収設されている。前記商品収納ラック６の下部には前下がりに傾斜するシュート７が配置されている。このシュート7の背後であって、各商品収納室３，４，５の底部には蒸発器やヒータからなる冷却／加熱ユニット（不図示）が配設されている。本体キャビネット１における底壁１ａの下方の機械室には圧縮機や凝縮器などからなるコンデンシングユニット（不図示）が設置され、コンデンシングユニットの圧縮機，凝縮器と商品収容庫内に配設された蒸発器との間は底壁1ａの前縁に形成された切欠を通る不図示の冷媒配管により接続されている。また、底壁１ａの前面には左右方向に延在するガスケット部材１３（後述の図４参照）が配設され、このガスケット部材１３には復元力を有する弾性部１５が設けられている。
【０００４】
前記本体キャビネット１の前面に開閉自在に装着された外扉８の前面には良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されている。また、前記外扉８の前面には硬貨投入口，紙幣挿入口，返却レバー、シリンダー錠付きのハンドルロック装置，硬貨返却口，商品取出口８ａなどが組付けられている。前記外扉８の背面側には本体キャビネット１における商品収容庫の前面を閉塞する内扉９が開閉自在に取付けられている。この例では内扉９が上下に分割されており、下部内扉９には各商品収納室３，４，５の下部に配置されるとともに前記商品収納ラック６から払い出された商品を送出するシュート７と対峙する位置に搬出扉９ａを有する商品搬出口が設けられている。前記搬出扉９ａは上端を軸支されて常時商品搬出口を閉塞して冷気若しくは暖気の流出を防止しており、シュート７を介して送出される商品により押し開かれるように形成されている。前記内扉９を閉じた際、内扉９の背面に断熱仕切板２の前面に設けた後述する図４に示すパッキン２０、およびガスケット部材１３の前面に設けた弾性部１５が当接して商品収納室間の気密性が保たれている。
【０００５】
前記本体キャビネット１の商品収容庫の概略構成を図４に示す。前記本体キャビネット１は鋼板製の外箱の内側に、所定の厚みを有するとともに縦長矩形状に形成された硬質ウレタンフォームを基材とし、その表裏面にポリエチレンテレフタレート等の表面材が形成された断熱パネルからなる上壁１ｂ，左側壁１ｃ，右側壁１ｄ，背壁１ｅおよび底壁１ａを配設して断熱構造の商品収容庫が画成されている。前記本体キャビネット１の底壁１ａ上面には庫内外の温度差により発生する結露水を集めて排水する複数のトレイ１０，１１，１２が設置されている。かかるトレイ１０〜１２は薄い矩形の箱形に形成された板金製になる。隣接するトレイ１０とトレイ１１、トレイ１１とトレイ１２間には断熱仕切板２を挿入する間隙が形成され、トレイ１０の左縁、トレイ１１の左右両縁、トレイ１２の右縁が断熱仕切板２の案内レールとして機能する（例えば、特許文献１）。
【０００６】
前記断熱仕切板２は所定の厚みを有するとともに縦長矩形状に形成された硬質ウレタンフォームを基材とし、その表裏面にポリエチレンテレフタレート等の表面材が形成された断熱パネルとして形成され、この断熱パネルの外周縁（前後端縁および上下端縁）に硬質の合成樹脂からなる補強枠２１〜２４が取付けられている。この補強枠２１〜２４は断面コ字状に形成されており、断熱パネルの外周縁を覆うように嵌め込んで取付けられている。また、補強枠２１〜２４のうち、断熱仕切板２の前端縁に取付けられた補強枠２１の前面側には復元力を有する軟質の合成樹脂からなるパッキン２０が設けられている。そして、断熱仕切板２の前面下部には切欠２ａが形成される一方、パッキン２０は下方まで延在している。なお、補強枠２１の下部も部分的に切欠かかれている。
【０００７】
ところで、本体キャビネット１の底壁１ａの前面にはガスケット部材１３が取付けられている（例えば、特許文献２）。このガスケット部材１３は左右方向に延在する硬質の合成樹脂からなる化粧枠１４の前面に復元力を有する弾性部（ガスケット）１５が形成されてなる。前記化粧枠１４の幅は底壁１ａの幅よりも大きく形成され、その上端がトレイ１０〜１２の上縁まで延在してトレイ１０〜１２を目隠しするように構成されている一方、弾性部１５は底壁１ａ前面に位置しており、内扉９が閉じられた際に内扉９に押圧されて弾性変形するように構成されている。トレイ１０〜１２の上縁まで延在したガスケット部材１３の化粧枠１４は断熱仕切板２の切欠２ａに進入する。言い換えれば、断熱仕切板２は化粧枠１４を跨ぐように切欠２ａが形成されている。
【０００８】
図５は図３におけるＡ部の拡大斜視図、図６は図５の側面断面図であり、断熱仕切板２の切欠２ａとガスケット部材１３との相互関係を示す。図において、ガスケット部材１３の化粧枠１４が断熱仕切板２の切欠２ａに進入しており、断熱仕切板２の前端縁に取付けられた補強枠２１の一部とパッキン２０が化粧枠１４の前面に位置している。そして、パッキン２０の下縁はガスケット部材１３の弾性部１５に当接するように構成されており、内扉９を閉じた際に断熱仕切板２のパッキン２０とガスケット部材１３の弾性部１５が内扉９に押圧されて弾性変形することによって内扉９に密着し、内扉９側を介して隣接する商品収納室間の空気の流通を阻止するように構成される一方、断熱仕切板２の切欠２ａにはクッション１６が埋設され、このクッション１６により隣接する商品収納室間の空気の流通を阻止するように構成され、これらにより商品収納室間の気密を保っている。なお、クッション１６は接合剤の一種であるパテにより切欠２ａを埋めるものに対して作業性がよいことから採用されているものである。
【先行技術文献】
【特許文献】
【０００９】
【特許文献１】特開２００５−７８２７１号公報
【特許文献２】特開２００７−３４８３２号公報（図４、図５）
【発明の概要】
【発明が解決しようとする課題】
【００１０】
前記特許文献１に記載された自動販売機のように、トレイ１０〜１２を分割することにより隣接する商品収納室間の熱リークを防止し、また、断熱仕切板２の補強枠を合成樹脂とすることにより隣接する商品収納室間の熱リークを防止し、さらに、断熱仕切板２の前面のパッキン２０をガスケット部材１３の弾性部１５まで延在させて内扉９に密着させる一方、断熱仕切板２の切欠２ａにクッション１６を埋設させて隣接する商品収納室間の気密を保つように構成されている。ところが、断熱仕切板２の切欠２ａに埋設されるクッション１６はガスケット部材１３を本体キャビネット１の底壁１ａの前面に取付ける際、断熱仕切板２の切欠２ａにクッション１６を敷き詰めたうえでガスケット部材１３（化粧枠１４）を取付けるように構成されているので、ガスケット部材１３によってクッション１６が移動してしまい、切欠２ａの上端隅部に隙間が形成されるおそれがある。この隙間の有無は目視により確認することが困難であり、冷却／加熱試験により所定の性能を発揮することができないものについては、切欠２ａに接合剤の一種であるパテを塗布して再度試験が行われる。結局、パテに代えて作業性の良好なクッション１６を採用した場合にも試験やパテによる補修を必要とするので生産性が悪いという問題を有する。
【００１１】
そこで、本発明は上記の点に鑑みなされたものであり、その目的は前記課題を解決し、断熱仕切板の切欠を閉塞する部材としてクッションを用いた場合にも隣接する商品収納室間の気密を確保ことが可能な自動販売機を提供することにある。
【課題を解決するための手段】
【００１２】
上記目的を達成するために請求項１に係る発明は、断熱筐体として形成されるとともに前面が開口した直方体状の本体キャビネットと、本体キャビネットの内部に画成された商品収容庫内を左右方向に複数の商品収納室に区画するとともに前面に内扉と当接するパッキンが取付けられた断熱仕切板と、商品収容庫の底壁前面に左右方向に延在して配設される硬質の合成樹脂からなる化粧枠の前面に内扉と当接して弾性変形する弾性部を有するガスケット部材と、前記断熱仕切板の前面下部であって、前記ガスケット部材の化粧枠を跨ぐように形成された切欠を閉塞するクッションとを備えた自動販売機において、前記クッションはガスケット部材の化粧枠の上端からその前面および背面に延在して当該化粧枠の上部を被覆するように配設してなることを特徴とする。
【発明の効果】
【００１３】
本発明の請求項１に係る発明は、断熱筐体として形成されるとともに前面が開口した直方体状の本体キャビネットと、本体キャビネットの内部に画成された商品収容庫内を左右方向に複数の商品収納室に区画するとともに前面に内扉と当接するパッキンが取付けられた断熱仕切板と、商品収容庫の底壁前面に左右方向に延在して配設される硬質の合成樹脂からなる化粧枠の前面に内扉と当接して弾性変形する弾性部を有するガスケット部材と、前記断熱仕切板の前面下部であって、前記ガスケット部材の化粧枠を跨ぐように形成された切欠を閉塞するクッションとを備えた自動販売機において、前記クッションはガスケット部材の化粧枠の上端からその前面および背面に延在して当該化粧枠の上部を被覆するように配設してなることにより、ガスケット部材を本体キャビネットの底壁の前面に取付ける際、ガスケット部材の化粧枠の上部を被覆するように配設されたクッションは化粧枠により断熱仕切板の切欠に押し込まれ、切欠の隅々まで行き渡ることから断熱仕切板の切欠を介して空気が流通することを確実に阻止することができるので、隣接する商品収納室間の気密を確保することができるという効果を有する。
【図面の簡単な説明】
【００１４】
【図１】本発明の実施の形態である自動販売機における断熱仕切板の切欠とガスケット部材との相互関係を示す拡大斜視図である。
【図２】図１の側面断面図である。
【図３】本発明の実施対象である自動販売機の概略構成を示す扉開放状態の斜視図である。
【図４】従来の自動販売機の商品収容庫の概略構成を示す分解斜視図である。
【図５】図３の自動販売機のＡ部の拡大斜視図である。
【図６】図５の側面断面図である。
【発明を実施するための形態】
【００１５】
以下、本発明における実施の形態である自動販売機を図面に基づいて説明する。なお、本発明の実施の形態の自動販売機の概略構成は図３に示したものと同一であるので、適宜図３を参照しつつ説明を行う。
【００１６】
図１は、図３の自動販売機のＡ部に相当する部分（図５に対応）の拡大斜視図であり、図２は、図１の側面断面図である。各図において、図５に示す従来例と相違する点はクッション１６の配設方法である。すなわち、図２に示すように、クッション１６はガスケット部材１３の化粧枠１４の上端からその前面および背面に延在して当該化粧枠１４の上部を被覆するように配設してなる点が従来と異なる。
【００１７】
前記クッション１６の組付けについて説明すると、本体キャビネット１の断熱構造として画成してなる商品収容庫内に断熱仕切板２を、図４に示したトレイ１０〜１２の左右縁部を案内レールとして挿入した後、ガスケット部材１３を本体キャビネット１の底壁１ａの前面に取付ける。その際、ガスケット部材１３の化粧枠１４における断熱仕切板２の切欠２ａに対峙する位置にはクッション１６が化粧枠１４の上部を被覆する態様で巻き付けられている。この場合、クッション１６の一端（化粧枠１４の前面側）を化粧枠１４と弾性部１５との間に挟み付けて保持した状態でクッション１６を化粧枠１４の外表面に沿わせて上端から背面側に巻き付けた後、クッション１６の他端（化粧枠１４の背面側）を化粧枠１４に両面テープなどで固定し、クッション１６を化粧枠１４の上部に巻き付けておく。そして、クッション１６を切欠２ａの開放端に対峙させた状態でガスケット部材１３を上方へ移動させる。ガスケット部材１３は底壁１ａの前面にねじ止めされるように構成されており、ガスケット部材１３に形成したねじ挿通穴（不図示）が底壁１ａに形成したねじ穴（不図示）に一致するまでガスケット部材１３を上方へ移動させた状態でねじにより締結される。
【００１８】
このようにガスケット部材１３を上方に移動させると化粧枠１４によりクッション１６が切欠２ａに圧縮された状態で押し込まれて切欠２ａの空間を埋めてゆく。そして、ガスケット部材１３を底壁１ａにねじで締結する際、ガスケット部材１３が底壁１ａに向けて多少移動するので、化粧枠１４の前表面と切欠２ａの前側縁との間の寸法が広がるようになるが、クッション１６は復元力を有しているので圧縮された状態から弛緩することにより切欠２ａの空間を埋めた状態が維持される。したがって、ガスケット部材１３を底壁１ａにねじ締結することによりクッション１６が断熱仕切板２の切欠２ａ内の空間を埋めて空気の流通を阻止し、断熱仕切板２を挟んで隣接する商品収納室間の気密が確保される。
【００１９】
なお、上記の実施の形態ではクッション１６が真っ直ぐに復元する短冊状のものについて説明したが、ガスケット部材１３の化粧枠１４の上端を被覆した状態の形状（凹形状）のものを用いることができ、この場合には両面テープなどを必要とすることなくクッション１６を化粧枠１４に被着させることが可能である。
【００２０】
前述したとおり、本発明の実施の形態の自動販売機によれば、断熱筐体として形成されるとともに前面が開口した直方体状の本体キャビネット１と、本体キャビネット１の内部に画成された商品収容庫内を左右方向に複数の商品収納室３〜５に区画するとともに前面に内扉９と当接するパッキン２０が取付けられた断熱仕切板２と、商品収容庫の底壁前面に左右方向に延在して配設される硬質の合成樹脂からなる化粧枠１４の前面に内扉９と当接して弾性変形する弾性部１５を有するガスケット部材１３と、前記断熱仕切板２の前面下部であって、前記ガスケット部材１３の化粧枠１４を跨ぐように形成された切欠２ａを閉塞するクッション１６とを備えた自動販売機において、前記クッション１６はガスケット部材１３の化粧枠１４の上端からその前面および背面に延在して当該化粧枠１４の上部を被覆するように配設してなることにより、ガスケット部材１３を本体キャビネット１の底壁１ａの前面に取付ける際、ガスケット部材１３の化粧枠１４の上部を被覆するように配設されたクッション１６は化粧枠１４により断熱仕切板２の切欠２ａに押し込まれ、切欠２ａの隅々まで行き渡ることから断熱仕切板２の切欠２ａを介して空気が流通するのを確実に阻止することができるので、断熱仕切板２を挟んで隣接する商品収納室間の気密を確保することができるという効果を有する。
【符号の説明】
【００２１】
１…本体キャビネット、２…断熱仕切板、２ａ…切欠、３，４，５…商品収納室、９…内扉、１３…ガスケット部材、１４…化粧枠、１５…弾性部、１６…クッション、２０…パッキン。 
【図１】
0005565239.tif 000002
【図２】
0005565239.tif 000003
【図３】
0005565239.tif 000004
【図４】
0005565239.tif 000005
【図５】
0005565239.tif 000006
【図６】
0005565239.tif 000007